(57)【要約】  格納容器３、３ａ、３ｂ、３ｃが、個々のパウチ１、１ａのスタックが配置される内部空間を画定する外箱２、２ａ、２ｂ、３ｃを備える。個々のパウチは、製品、たとえば、シンフィルムストリップＦＳを容れ、スタックから個別に取り外されるポケット１０を有する。外箱２、２ａ、２ｂ、２ｃが、パウチ１、１ａへアクセスを防止する／可能にするクロージャ２６、２６ａ、２６ｂ、２６ｃを備え、パウチをスタックから取り外す際にポケット１０へのアクセスを可能にするように、パウチ１、１ａと相互作用する手段２０、２０ａ、２０ｂ、２０ｃを備える。パウチとの相互作用のための手段２０、２０ａ、２０ｂ、２０ｃが、パウチ１、１ａをスタックから取り外す際、パウチが長手方向延長部の本質的な部分に沿って開かれ、外箱２、２ａ、２ｂ、２ｃから完全に取り外され、パウチ１、１ａの残りの部分が外箱内に残らない構成とされる。
2008543682.tif 000002
【特許請求の範囲】
【請求項１】
個々のパウチ（１、１ａ）のスタックが配置される内部空間を画定する外箱（２、２ａ、２ｂ、２ｃ）を備える格納容器（３、３ａ、３ｂ、３ｃ）であって、個々のパウチが、製品、たとえば、薬のフィルムストリップなどの１つまたは複数のシンフィルムストリップ（ＦＳ）を容れるポケット（１０）をそれぞれ有し、かつスタックから個別に取り外されるように設計され、外箱（２、２ａ、２ｂ、２ｃ）が、個々のパウチ（１、１ａ）へのアクセスを防止する／可能にするためのクロージャ（２６、２６ａ、２６ｂ、２６ｃ）を備え、かつ、パウチをスタックから取り外す際に個々のパウチのポケット（１０）へのアクセスを可能にするような方式で、パウチ（１、１ａ）と相互作用するための手段（２０、２０ａ、２０ｂ、２０ｃ）をさらに備え、パウチと相互作用するための手段（２０、２０ａ、２０ｂ、２０ｃ）が、パウチ（１、１ａ）をスタックから取り外す際に、パウチが、その長手方向延長部の本質的な部分に沿って開放され、かつ外箱（２、２ａ、２ｂ、２ｃ）から完全に取り外され、パウチ（１、１ａ）の残りの部分が外箱内に残らない、格納容器。
【請求項２】
外箱（２、２ａ、２ｂ、２ｃ）が、底部（２１、２１ａ、２１ｂ、２１ｃ）、２つの側壁（２２、２３、２２ａ、２３ａ、２２ｂ、２３ｂ、２２ｃ、２３ｃ）、任意選択の端部壁（２４、２４ａ、２４ｂ、２４ｃ）、蓋（２５、２５ａ、２５ｂ、２５ｃ）、およびクロージャが開いているときパウチ（１、１ａ）へのアクセスを可能にする開端部（２７）を備え、かつ、パウチと相互作用するための手段が、外箱の開端部（２７）に近接する領域内の外箱の底部（２１、２１ａ、２１ｂ、２１ｃ）上に配置された直立した支柱（２０、２０ａ、２０ｂ、２０ｃ）を備え、直立した支柱（２０、２０ａ、２０ｂ、２０ｃ）が、パウチ（１、１ａ）のそれぞれの端部領域内に設けられた孔（１１）を通って延びる、請求項１に記載の格納容器。
【請求項３】
直立した支柱（２０、２０ａ、２０ｂ、２０ｃ）が、パウチ（１、１ａ）の長手方向延長部の方向に面している尖った縁部（２００、２００ａ、２００ｂ）を有する、請求項２に記載の格納容器。
【請求項４】
クロージャ（２６、２６ａ、２６ｂ、２６ｃ）が、外箱の残りの部分にヒンジで取り付けられている、請求項１から３のいずれか一項に記載の格納容器。
【請求項５】
クロージャ（２６ａ）が、外箱とは別個に製造された部片であり、かつ横方向に配置されたヒンジ（２８ａ、２６１ａ）を用いて外箱の残りの部分に枢動自在に取り付けられている、請求項４に記載の格納容器。
【請求項６】
クロージャ（２６、２６ｂ、２６ｃ）が、外箱の残りの部分と一体に形成された部片であり、かつ一体蝶番（２８、２８ｃ）によって外箱の開端部（２７）で縁部に取り付けられている、請求項４に記載の格納容器。
【請求項７】
クロージャ（２６、２６ａ、２６ｂ、２６ｃ）ならびに外箱の残りの部分が共に、パウチ（１、１ａ）へのアクセスを防止するようにクロージャ（２６、２６ａ、２６ｂ、２６ｃ）をロックされた状態に保持すること、およびパウチへのアクセスを可能にするためにクロージャを解放することを可能にする、相互係合手段（２６０、２２０、２３０、２６０ａ、２１０ａ、２５０ａ、２６０ｂ、２２０ｂ、２３０ｂ、２６０ｃ、２２０ｃ、２３０ｃ）を備える、請求項１から６のいずれか一項に記載の格納容器。
【請求項８】
クロージャ（２６、２６ａ、２６ｂ、２６ｃ）ならびに外箱の残りの部分が共に、複数の相互係合手段（２６０、２２０、２３０、２６０ａ、２１０ａ、２５０ａ、２６０ｂ、２２０ｂ、２３０ｂ、２６０ｃ、２２０ｃ、２３０ｃ）のすべてが操作されたときにのみ、クロージャ（２６、２６ａ、２６ｂ、２６ｃ）がロックされた状態から解放可能であるように構成されている、複数の空間的に分離された相互係合手段（２６０、２２０、２３０、２６０ａ、２１０ａ、２５０ａ、２６０ｂ、２２０ｂ、２３０ｂ、２６０ｃ、２２０ｃ、２３０ｃ）を備える、請求項７に記載の格納容器。
【請求項９】
複数の相互係合手段（２６０、２２０、２３０、２６０ａ、２１０ａ、２５０ａ、２６０ｂ、２２０ｂ、２３０ｂ、２６０ｃ、２２０ｃ、２３０ｃ）が、複数の相互係合手段（２６０、２２０、２３０、２６０ａ、２１０ａ、２５０ａ、２６０ｂ、２２０ｂ、２３０ｂ、２６０ｃ、２２０ｃ、２３０ｃ）のすべてが同時に操作されたとき、クロージャ（２６、２６ａ、２６ｂ、２６ｃ）がロックされた状態から解放可能であるように構成されている、請求項８に記載の格納容器。
【請求項１０】
相互係合手段（２６０、２２０、２３０、２６０ａ、２１０ａ、２５０ａ、２６０ｂ、２２０ｂ、２３０ｂ、２６０ｃ、２２０ｃ、２３０ｃ）が、解放可能なスナップ嵌めを備える、請求項７から９のいずれか一項に記載の格納容器。
【請求項１１】
蓋（２５ｃ）ならびにクロージャ（２６ｃ）が共に、アクセスを防止するためにクロージャ（２６ｃ）をロックされた状態に保持すること、および箱（２ｃ）の内部空間へのアクセスを可能にするためにクロージャを解放することを可能にする、追加の相互係合手段（２５６ｃ、２６３ｃ）を備える、請求項７から１０のいずれか一項に記載の格納容器。
【請求項１２】
蓋（２５ｃ）が、追加の相互係合手段（２５６ｃ、２６３ｃ）を操作し、クロージャ（２６ｃ）を蓋（２５ｃ）から解放するために、使用者の指を受けて圧力を加えるための受け手段（２５４ｃ）を有する、請求項１１に記載の格納容器。
【請求項１３】
箱（２ｃ）がロックされた状態にあるときクロージャ（２６ｃ）の縁部と隣接して配置されている蓋（２５５ｃ）の縁部が、クロージャ（２６ｃ）の縁部の上方に突き出す、請求項１１または１２のいずれか一項に記載の格納容器。
【請求項１４】
外箱の蓋（２５、２５ａ）が、外箱の残りの部分にヒンジで取り付けられている（２９、２９ａ）、請求項２から１３のいずれか一項に記載の格納容器。
【請求項１５】
蓋（２５、２５ａ）が、外箱の残りの部分と一体に形成され、かつ一体蝶番（２９、２９ａ）を介して端部壁（２４、２４ａ）の縁部に取り付けられている、請求項１４に記載の格納容器。
【請求項１６】
その開端部（２７）での外箱（２、２ａ、２ｂ、２ｃ）ならびにそれらの各端部でのパウチ（１、１ａ）の両方が、パウチ（１ａ）が直立した支柱（２０、２０ａ、２０ｂ、２０ｃ）が配置されているその側で露出されるように形成されている、請求項２から１５のいずれか一項に記載の格納容器。
【請求項１７】
パウチ（１）が、パウチが外箱から引き出される方向を示す、その上部側面上の標示（１３）を有する、請求項１から１６のいずれか一項に記載の格納容器。
【請求項１８】
製品、たとえば、薬のフィルムストリップなどの１つまたは複数のシンフィルムストリップ（ＦＳ）を容れるパウチ（１、１ａ）であって、製品を収容するためのポケット（１０）を形成するように互いに接続された上側シートおよび下側シートを備え、かつポケット（１０）の外側にかつパウチ（１、１ａ）の長手方向端部に近接して配置された孔（１１）をさらに備え、孔が、パウチをその長手方向端部で引く際に、パッケージが、その長手方向延長部の本質的な部分に沿って、かつその対向して配置された長手方向端部を通って裂けるようにパウチ（１、１ａ）と相互作用するための手段（２０、２０ａ、２０ｂ、２０ｃ）を収容するように構成されている、パウチ。
【請求項１９】
孔（１１）からパウチの長手方向に延び、事前に設定された引裂き線（１２）に沿ってパウチを裂けさせる、事前に設定された引裂き線（１２）をさらに備える、請求項１８に記載のパウチ。
【請求項２０】
孔（１１）が、その長手方向端部の１つが事前に設定された引裂き線（１２）と直接隣接して配置されている長円形の孔である、請求項１９に記載のパウチ。
【請求項２１】
孔（１１）が、本引裂き線と隣接して位置して、その端部に設けられ、スリット（１１０）が、事前に設定された引裂き線（１２）に向かう方向に延びている、請求項１９または２０に記載のパウチ。
【請求項２２】
孔（１１）が、事前に設定された引裂き線（１２）の方向に対して横方向に延びる追加のスリット（１１１）を備える、請求項２１に記載のパウチ。
【請求項２３】
事前に設定された引裂き線（１２）が、スコーリングによって、たとえばレーザースコーリングによって製造される、請求項１９から２２のいずれか一項に記載のパウチ。
【請求項２４】
パウチが、パウチの上側および下側シートが接続される、事前に設定された引裂き線（１２）に沿った追加の接続領域（１４）を備える、請求項１９から２３のいずれか一項に記載のパウチ。
【請求項２５】
請求項１８から２４のいずれか一項に記載の個々のパウチ（１、１ａ）のスタックを収容するための内部空間を画定する箱（２、２ａ、２ｂ、２ｃ）であって、箱（２、２ａ、２ｂ、２ｃ）が、底部（２１、２１ａ、２１ｂ、２１ｃ）、２つの側壁（２２、２３、２２ａ、２３ａ、２２ｂ、２３ｂ、２２ｃ、２３ｃ）、任意選択の端部壁（２４、２４ａ、２４ｂ、２４ｃ）、蓋（２５、２５ａ、２５ｂ、２５ｃ）、および、クロージャ（２６、２６ａ、２６ｂ、２６ｃ）が開いているとき箱の内部空間へのアクセスを可能にする開端部（２７）を備え、かつ、箱の開端部（２７）に近接する領域内の箱の底部（２１、２１ａ、２１ｂ、２１ｃ）上に配置された直立した支柱（２０、２０ａ、２０ｂ、２０ｃ）をさらに備え、支柱（２０、２０ａ、２０ｂ、２０ｃ）が、パウチ（１、１ａ）の長手方向端部を箱（２、２ａ、２ｂ、２ｃ）から引き出した際、支柱（２０、２０ａ、２０ｂ、２０ｃ）が、パウチ（１、１ａ）をパウチの長手方向に裂けさせ、それによって個々のパウチ（１、１ａ）をスタックから取り外し、かつパウチのポケット（１０）へのアクセスを可能にするように、各パウチ（１、１ａ）の孔（１１）を通って延びるように配置されている、箱。
【請求項２６】
直立した支柱（２０、２０ａ、２０ｂ、２０ｃ）が、箱の開端部（２７）と反対の方向に面している尖った縁部（２００、２００ａ、２００ｂ）を有する、請求項２５に記載の箱。
【請求項２７】
クロージャ（２６、２６ａ、２６ｂ、２６ｃ）が、箱の残りの部分にヒンジで取り付けられている、請求項２５または２６のいずれか一項に記載の箱。
【請求項２８】
クロージャ（２６ａ）が、箱とは別個に製造された部片であり、かつ横方向に配置されたヒンジ（２８ａ、２６１ａ）を用いて箱の残りの部分に枢動自在に取り付けられている、請求項２７に記載の箱。
【請求項２９】
クロージャ（２６、２６ｂ、２６ｃ）が、箱の残りの部分と一体に形成された部片であり、かつ一体蝶番（２８、２８ｃ）によって開端部の縁部に取り付けられている、請求項２７に記載の箱。
【請求項３０】
クロージャ（２６、２６ａ、２６ｂ、２６ｃ）ならびに箱の残りの部分が共に、アクセスを防止するためにクロージャ（２６、２６ａ、２６ｂ、２６ｃ）をロックされた状態に保持すること、および箱の内部空間ヘのアクセスを可能にするために解放することを可能にする、相互係合手段（２６０、２２０、２６０ａ、２５０ａ、２１０ａ、２６０ｂ、２２０ｂ、２３０ｂ、２６０ｃ、２２０ｃ、２３０ｃ）を備える、請求項２５から２９のいずれか一項に記載の箱。
【請求項３１】
クロージャ（２６、２６ａ、２６ｂ、２６ｃ）ならびに箱の残りの部分が共に、複数の相互係合手段（２６０、２２０、２６０ａ、２５０ａ、２１０ａ、２６０ｂ、２２０ｂ、２３０ｂ、２６０ｃ、２２０ｃ、２３０ｃ）のすべてが操作されたときにのみ、クロージャ（２６、２６ａ、２６ｂ、２６ｃ）がロックされた状態から解放可能であるように構成されている、複数の空間的に分離された相互係合手段（２６０、２２０、２６０ａ、２５０ａ、２１０ａ、２６０ｂ、２２０ｂ、２３０ｂ、２６０ｃ、２２０ｃ、２３０ｃ）を備える、請求項３０に記載の箱。
【請求項３２】
複数の相互係合手段（２６０、２２０、２６０ａ、２５０ａ、２１０ａ、２６０ｂ、２２０ｂ、２３０ｂ、２６０ｃ、２２０ｃ、２３０ｃ）が、複数の相互係合手段（２６０、２２０、２６０ａ、２５０ａ、２１０ａ、２６０ｂ、２２０ｂ、２３０ｂ、２６０ｃ、２２０ｃ、２３０ｃ）のすべてが同時に操作されたとき、クロージャ（２６、２６ａ、２６ｂ、２６ｃ）がロックされた状態から解放可能であるように構成されている、請求項３１に記載の箱。
【請求項３３】
相互係合手段（２６０、２２０、２６０ａ、２５０ａ、２１０ａ、２６０ｂ、２２０ｂ、２３０ｂ、２６０ｃ、２２０ｃ、２３０ｃ）が、解放可能なスナップ嵌めを備える、請求項３０から３２のいずれか一項に記載の箱。
【請求項３４】
蓋（２５ｃ）ならびにクロージャ（２６ｃ）が共に、アクセスを防止するためにクロージャ（２６ｃ）をロックされた状態に保持すること、および箱（２ｃ）の内部空間へのアクセスを可能にするためにクロージャを解放することを可能にする、追加の相互係合手段（２５６ｃ、２６３ｃ）を備える、請求項３０から３３のいずれか一項に記載の箱。
【請求項３５】
蓋（２５ｃ）が、クロージャ（２６ｃ）を蓋（２５ｃ）から解放するために圧力を加えるために、使用者の指を受けるための受け手段（２５４ｃ）を備える、請求項３４に記載の箱。
【請求項３６】
箱（２ｃ）がロックされた状態にあるときクロージャの縁部と隣接して配置されている蓋（２５５ｃ）の縁部が、クロージャの縁部の上方に突き出す、請求項３４または３５のいずれか一項に記載の箱。
【請求項３７】
箱の蓋（２５、２５ａ）が、箱の残りの部分にヒンジで取り付けられている（２９、２９ａ）、請求項２５から３６のいずれか一項に記載の箱。
【請求項３８】
蓋（２５、２５ａ）が、箱の残りの部分と一体に形成され、かつ一体蝶番（２９、２９ａ）を介して端部壁（２４、２４ａ）の縁部に取り付けられている、請求項３７に記載の箱。
【発明の詳細な説明】
【技術分野】
【０００１】
本発明は一般に、１つまたは複数のシンフィルムストリップ、たとえば、薬のフィルムストリップなどの製品を容れる個々のパウチの供給を扱う。より具体的には、本発明は、その内部空間内に個々のパウチのスタックが配置されている外箱を備える、格納容器を扱う。本発明のさらなる態様は、外箱、ならびに外箱内に含まれている個々のパウチに関する。
【背景技術】
【０００２】
様々な製品が、個々の１回使用量単位で処方されることができる。特に、パーソナルケア製品は、たとえば、飲み込まれるタブレットまたはカプセルとして、口腔内で溶解させるトローチまたは溶解可能なフィルムのストリップとして、または外傷を治療するための生体粘着性のフィルム組成のストリップとして形成されることができる。パーソナルケア製品以外の例はまた、口腔内で溶解させる可溶性のペパーミントストリップなどで知られている。各１回投与量が、他のものから分離されること、すなわち、１回投与量が、同じビンまたはバイアル内に保持されてはならない、または全部保持されるべきではないことが重要である、または望ましいことがある。このことは、たとえば、製剤が、湿度によって有害な影響を受ける可能性がある（たとえば、製剤が吸湿性である）場合、そうである。また１回使用量の形態は、１つのみの単位が処方されたときに、患者が容易にかつ知らずに、一度に２つの１回使用量単位を取る可能性があるような場合、１回投与量をそれぞれ個別に包装することが望ましい。
【０００３】
これらの要求に対処する格納容器が、当技術分野ですでに知られている。このような格納容器に対する一例が、米国特許第６，７０８，８２６（Ｂ１）号明細書に記載されている。そこに開示されている格納容器は、底部部分、および底部部分にヒンジで取り付けられた２つの蓋部分から成る外箱を備える。底部部分および２つの蓋部分によって画定された内部空間内に、個々のパウチのスタックが、配置される。個々のパウチはそれぞれ、パウチ部分およびタブ部分を備える。各タブ部分は、直立した支柱によってそれぞれ貫通されている２つの孔を備える。個々のパウチのスタック全部のタブ部分が、外箱の２つの蓋のうちの１つによって押さえ付けられる。個々のパウチそれぞれのタブ部分とパウチ部分の間に、パウチ部分がタブ部分から剥ぎ取られることを可能にする、事前に設定された引裂き線がある。したがって、人がパウチの各自由端を把持し、かつそれをタブ部分から剥ぎ取ることが、可能である。パウチ部分をタブ部分から剥ぎ取っている間、ポケットが、引裂き線に沿って自動的に開かれてもよい。
【発明の開示】
【発明が解決しようとする課題】
【０００４】
引裂き線が、ポケットの横方向に走っているため、比較的に小さい寸法の開口が作成されるためにポケット内に含まれている製品にアクセスすることは困難である可能性がある。この理由で、パウチ内に含まれている製品へのアクセスを簡便に得るために、さらに長手方向に走っている事前に設定された引裂き線に沿って、パウチ部分を手でちぎることが、追加で示唆される。残念ながら、このことは、使用者にとって不都合である、追加の別個の操作ステップを必要とする。さらなる欠点は、個々のパウチのタブ部分が、常に外箱内に留まり、したがって、これらのタブ部分が、いったんすべてのパウチ部分がスタックから取り外された後、別個に廃棄されなければならないことである。別の欠点は、一番上のパウチから始めて、より多くのパッケージがスタックから取り外されるほど、上側のパウチの残っているタブ部分がそれより下のパウチを押さえるため、パウチのそれより下のものを把持することが、より難しくなることである。
【０００５】
したがって、この不都合を克服すること、および従来技術の包装概念の上述の欠点を回避することが、本発明の目的である。
【課題を解決するための手段】
【０００６】
この目的は、格納容器を目的とする独立請求項の特徴によって特徴付けられるような格納容器によって達成される。格納容器の好ましい実施形態は、各従属請求項の主題である。パウチに関する限り、この目的は、パウチを対象とする独立請求項の特徴によって特徴付けられるようなパウチによって達成される。パウチの好ましい実施形態は、各従属請求項の主題である。最後に、外箱に関する限り、この目的は、箱を対象とする独立請求項の特徴によって特徴付けられるような箱によって達成される。箱の好ましい実施形態は、各従属請求項の主題である。
【０００７】
特に、本発明による格納容器は、個々のパウチのスタックが配置される内部空間を画定する外箱を備える。個々のパウチはそれぞれ、製品、たとえば、薬のフィルムストリップなどの１つまたは複数のシンフィルムストリップを容れるポケットを有する。個々のパウチは、スタックから個別に取り外されるように設計されている。外箱が、個々のパウチへのアクセスを防止する／可能にするためのクロージャを備え、かつ、パウチをスタックから取り外す際に個々のパウチのポケットへのアクセスを可能にするような方式で、パウチと相互作用するための手段をさらに備える。パウチと相互作用するための手段が、パウチをスタックから取り外す際、パウチが、その長手方向延長部の本質的な部分に沿って開放され、かつ外箱から完全に取り外され、パウチの残りの部分が外箱内に残らないように構成されている。
【０００８】
したがって、個々のパウチのいかなる部分も外箱内に保持されることなく、パウチ全体をスタックから取り外すことが可能である。結果として、いったんすべてのパウチが箱から取り外された後、いずれかの残りのパウチを別個に廃棄することはもはや必要ない。また、構成要素の廃棄材料（たとえば、パウチのためのポリエチレン／アルミニウム／ポリエチレンテレフタレート、外箱のためのポリプロピレン）の選択的な分別が可能であり、したがって、廃棄物管理をさらに改善する。また、パウチがその長手方向延長部の本質的な部分に沿って開放されるため、製品、たとえば薬のフィルムストリップを容れるポケットが、製品へのアクセスを簡便に可能にする程度まで開放される。さらに重要な利点は、個々の一番上のパウチが常に、外箱から完全に取り外され、タブ部分が外箱内に残らないため、個々の一番上のパウチを把持し、かつそれを外箱から取り外すことが容易にされる。
【０００９】
本発明による格納容器の好ましい実施形態では、外箱が、底部、２つの側壁、任意選択の端部壁、蓋、およびクロージャが開いているときパウチへのアクセスを可能にする開端部を備える。パウチと相互作用するための手段が、外箱の開端部に近接する領域内の外箱の底部上に配置された直立した支柱を備える。直立した支柱が、パウチのそれぞれの端部領域内に設けられた孔を通って延びる。この実施形態は製造することが容易であり、かつ取り扱うことも同様に容易である。
【００１０】
直立した支柱が、好ましい実施形態では、パウチの長手方向延長部の方向に面している尖った縁部を有する。このことは、取外し中にパウチが裂けることを容易にする。
【００１１】
本発明による格納容器のさらに好ましい実施形態では、クロージャが、外箱の残りの部分にヒンジで取り付けられている。このことは、外箱内に含まれている個々のパウチへのアクセスを得るために、外箱を容易に開閉することを可能にする。
【００１２】
格納容器の別の実施形態によると、クロージャが、外箱とは別個に製造された部片であり、横方向に配置されたヒンジを用いて外箱の残りの部分に枢動自在に取り付けられている。別法として、クロージャが、外箱の残りの部分と一体に形成され、かつ一体蝶番によって箱の開端部の縁部に取り付けられた部片である。両任意選択は、製造することが比較的容易である。
【００１３】
本発明による格納容器のさらに好ましい実施形態では、クロージャならびに外箱の残りの部分が共に、パウチへのアクセスを防止するようにクロージャをロックされた状態に保持すること、およびパウチへのアクセスを可能にするためにクロージャを解放することを可能にする、相互係合手段を備える。このことは、意図的でない開放またはロック解除に対する格納容器の安全性を改善する。
【００１４】
好ましくは、クロージャならびに外箱の残りの部分が共に、複数の相互係合手段のすべてが操作されたときにのみ、クロージャがロックされた状態から解放可能であるように構成されている、複数の空間的に分離された相互係合手段を備える。このことは、意図的でない開放またはロック解除に対する格納容器の安全性をさらに改善し、かつ特に良好な小児安全性を提供する。
【００１５】
たとえば、複数の相互係合手段が、複数の相互係合手段のすべてが同時に操作されたとき、クロージャがロックされた状態から解放可能であるように構成されてもよい。この実施形態は、製造するのが容易であり、特に良好な小児安全性を提供する格納容器の例である。
【００１６】
特に、上記で説明された相互係合手段の実施形態は、解放可能なスナップ嵌めを備える。
【００１７】
本発明による格納容器のさらに好ましい実施形態では、蓋ならびにクロージャが共に、アクセスを防止するためにクロージャをロックされた状態に保持すること、および箱の内部空間へのアクセスを可能にするためにクロージャを解放することを可能にする、追加の相互係合手段を備える。このような相互係合手段は、意図的でない開放またはロック解除に対する格納容器の安全性をさらに改善し、かつ特に、優れた小児安全性を提供する。
【００１８】
好ましくは、蓋が、クロージャを蓋から解放するために圧力を加えるために、使用者の指を受けるための受け手段を備える。このようにして、使用者が蓋を正しい位置で押すことが保証されることができ、クロージャをロックされた状態から容易に解放することを可能にする。
【００１９】
箱がロックされた状態にあるときクロージャの縁部と隣接して配置されている蓋の縁部が、好ましくはクロージャの縁部の上方に突き出す。このことは、箱が複数回開閉された場合、箱の適切な閉鎖を保証する。特に、このことは、箱を繰り返し使用することによって蓋とクロージャの縁部の間に隙間が発生することを防止する。このような隙間は、クロージャの蓋からの意図的でない解放を結果として生じさせ、小児安全性の劣化に至ることがある。
【００２０】
本発明による格納容器のさらに好ましい実施形態では、外箱の蓋が、外箱の残りの部分にヒンジで取り付けられている。このことは、簡単な方式で箱の蓋を開けること、および個々のパウチのスタックを挿入することによって外箱を「装填」することを可能にする。外箱が次に、容易に再び閉じられることができ、かつ使用のために準備される。特に、蓋が、箱の残りの部分と一体に形成され、かつ一体蝶番を介して端部壁の縁部に取り付けられる。これは、製造を容易にする実施形態である。
【００２１】
本発明による格納容器のさらなる実施形態では、その開端部での外箱ならびにそれらの各端部でのパウチの両方が、パウチが直立した支柱が配置されているその側で露出されるように形成されている。このようにして、使用者が、支柱が配置されているその側のパウチへのアクセスを有して、それを把持し、それを外箱から引き出す。このことは、使用者がパウチを箱から取り出すために、必要とされる最小の力が加えられなければならない位置でパウチを把持し、引っ張り、一方それと同時に（支柱のパウチとの相互作用によって）開けるため、個々のパウチの取外しを容易にする。
【００２２】
パウチを外箱から取り外すために彼／彼女がパウチを引くことを使用者に示すために、本発明による格納容器のさらに好ましい実施形態では、個々のパウチが、パウチが外箱から引き出される方向を示すその上部側面上に標示（たとえば、矢印）を有する。
【００２３】
個々のパウチに関する限り、本発明によるパウチは、製品、たとえば、薬のフィルムストリップなどの１つまたは複数のシンフィルムストリップを容れる。パウチが、製品を収容するためのポケットを形成するように互いに接続された上側シートおよび下側シートを備える。さらに、パウチが、ポケットの外側にかつパウチの長手方向端部に近接して配置された孔をさらに備える。孔が、パウチをその長手方向端部で引く際に、パッケージが、その長手方向延長部の本質的な部分に沿って、かつその対向して配置された長手方向端部を通って裂けるようにパウチと相互作用するための手段を収容するように構成されている。上記で述べたように、パウチは、各相互作用手段（たとえば支柱など）と相互作用したとき、パウチがその長手方向延長部の本質的な部分に沿って裂けるため、ポケット内に含まれている製品に簡便にアクセスすることを可能にする。また、パウチの部分は、外箱内に残らず、むしろパウチ全体が、完全に外箱から取り外される。
【００２４】
裂けることを容易にするために、本発明によるパウチの好ましい実施形態は、孔からパウチの長手方向に延び、事前に設定された引裂き線に沿ってパウチを裂けさせる、事前に設定された引裂き線をさらに備える。
【００２５】
さらなる特定の実施形態では、使用者が相互作用手段（たとえば支柱）に長円形の孔の端部でパウチと係合させ、パウチを裂け始めさせるようにパウチを引っ張ることができるように、孔が、その長手方向端部の１つが事前に設定された引裂き線に直接隣接して配置されている長円形の孔である。裂けることをさらに容易にするために、孔、たとえば長円形の孔が、本引裂き線と隣接して配置されたその端部に設けられ、スリットが、事前に設定された引裂き線に向かう方向に延びている。
【００２６】
パウチのさらなる実施形態では、孔、たとえば長円形の孔が、事前に設定された引裂き線の方向に対して横方向に延びる追加のスリットを備え、それによって、これが望ましいと判明した場合パッケージが横方向に走る線に沿って裂けることを可能にする。
【００２７】
事前に設定された引裂き線が、スコーリングによって、たとえば、レーザースコーリングによって製造されてもよい。これらは、当分野で十分に確立されている技術である。
【００２８】
シンフィルムストリップなどのパウチのポケット内に含まれている製品が、パウチを裂けさせる際に損傷されることを防ぐために、本発明によるパウチのさらなる実施形態は、パウチの上側および下側シートが接続されている（たとえば、密封されている）所に（すなわちその接続領域に）、引裂き線に沿った追加の接続領域を備えることができる。このことは、シンフィルムストリップなどの製品が、パウチが裂けている間に損傷されることができないように、事前に設定された引裂き線から離れたある距離でポケット内に常に配置されることを確実にする。
【００２９】
箱に関する限り、本発明による箱は、前に説明されたような個々のパウチのスタックを収容するための内部空間を画定する。箱は、底部、２つの側壁、任意選択の端部壁、蓋、および、クロージャが開いているとき箱の内部空間へのアクセスを可能にする開端部を備える。さらに、箱は、箱の開端部に近接する領域内の箱の底部上に配置された直立した支柱を備える。支柱が、パウチの長手方向端部を箱から引き出したとき、支柱が、パウチをパウチの長手方向に裂けさせ、それによって個々のパウチをスタックから取り外し、パウチのポケットへのアクセスを可能にするように、各パウチの孔を通って延びるように配置されている。このような箱の利点は、格納容器およびパウチに関して上記ですでに説明されており、したがってここでは繰り返されない。
【００３０】
本発明による箱の好ましい実施形態では、直立した支柱が、箱の開端部と反対の方向に面している尖った縁部を有する。このことは、さらに上記ですでに説明されたように、パウチを裂くことを容易にする。
【００３１】
本発明による箱のさらなる実施形態によると、クロージャが、箱の残りの部分にヒンジで取り付けられている。これを達成するためのある方法は、箱とは別個に製造された部片であり、かつ横方向に配置されたヒンジを用いて箱の残りの部分に枢動自在に取り付けられているクロージャを使用することである。これを達成するための別の方法は、箱の残りの部分と一体に形成された部片であり、かつ一体蝶番によって開端部の縁部に取り付けられているクロージャを使用することである。
【００３２】
本発明による箱のさらなる実施形態では、クロージャならびに箱の残りの部分が共に、アクセスを防止するためにクロージャをロックされた状態に保持すること、および箱の内部空間ヘのアクセスを可能にするために解放することを可能にする、相互係合手段を備える。このことは、技術的に簡単であり、かつ他方では、意図的でない箱の開放を回避するための信頼性の高い方法である。
【００３３】
好ましくは、クロージャならびに箱の残りの部分が共に、複数の相互係合手段のすべてが操作されたときにのみ、クロージャがロックされた状態から解放可能であるように構成されている、複数の空間的に分離された相互係合手段を備える。このことは、意図的でない開放またはロック解除に対する格納容器の安全性をさらに改善し、かつ特に、良好な小児安全性を提供する。
【００３４】
たとえば、複数の相互係合手段が、複数の相互係合手段のすべてが同時に操作されたとき、クロージャがロックされた状態から解放可能であるように構成されている。この実施形態は特に良好な小児安全性を提供する、製造することが容易な格納容器の例である。
【００３５】
特に、上記で説明された相互係合手段の実施形態は、解放可能なスナップ嵌めを備える。
【００３６】
本発明による箱のさらなる好ましい実施形態では、蓋ならびにクロージャが共に、アクセスを防止するためにクロージャをロックされた状態に保持すること、および箱の内部空間へのアクセスを可能にするためにクロージャを解放することを可能にする追加の相互係合手段を備える。このような相互係合手段は、意図的でない開放またはロック解除に対する格納容器の安全性をさらに改善し、かつ特に、優れた小児安全性を提供する。
【００３７】
好ましくは、蓋が、クロージャを蓋から解放するために圧力を加えるために、使用者の指を受けるための受け手段を備える。このようにして、使用者が蓋を正しい位置で押すことが保証されることができ、クロージャをロックされた状態から容易に解放することを可能にする。
【００３８】
箱がロックされた状態にあるときクロージャの縁部と隣接して配置されている蓋の縁部が、好ましくはクロージャの縁部の上方に突き出す。このことは、箱が複数回開閉された場合でさえも、箱の適切な閉鎖を保証する。特に、このことは、箱を繰り返し使用することによって蓋とクロージャの縁部の間に隙間が発生することを防止する。このような隙間は、クロージャの蓋からの意図的でない解放を結果として生じさせ、小児安全性の劣化に至ることがある。
【００３９】
上記ですでに議論されたように、箱の蓋が、箱の残りの部分にヒンジで取り付けられ、このようにして、パウチのスタックを挿入することによって外箱を「装填」することを容易にする。蓋が、箱の残りの部分と一体に形成され、かつ一体蝶番を介して端部壁の縁部に取り付けられてもよい。
【００４０】
他の有利な実施形態が、図面の助けによって、本発明による格納容器、パウチおよび箱の実施形態についての以下の詳細な説明から明らかになる。
【発明を実施するための最良の形態】
【００４１】
図１は、たとえばヒートシールによって互いに接続された上側シートおよび下側シートを本質的に備える、パウチ１の実施形態を示している。パウチの密封された領域が、図１で黒く示されており、その中に水溶性の薬のシンフィルムストリップＦＳなどの製品が含まれることができる、ポケット１０を画定している。図１に示されているように、パウチ１は、それを通って外箱２の支柱２０（図３参照）が延びる孔、たとえば長円形の孔１１を備える。長円形の孔１１は、図１に示されている形状以外の形状も有してもよい、たとえば、形状が矩形などであってよい。この孔は、パウチが簡単な方式で把持されること、およびパウチが裂け始める前に、短い距離だけ箱から引き出されることを可能にする。長円形の孔１１が、図２で拡大図に示されており、その図から、ポケット１０の隣の長円形の孔１１の長手方向端部の所に、長手方向に延びるスリット１１０があり、一方、そこから横方向に延びるスリット１１１もあることが、見ることができる。図１から見ることができるように、たとえばレーザースコーリングによって製造されることができる、事前に設定された引裂き線１２が設けられている。また、パウチ１の上端部で、矢印１３がパウチ１の表面上に設けられ、彼／彼女が外箱２からパウチ１を引き出さなければならないことを使用者に示している。パウチ１を矢印１３の方向へ引っ張っている間に、パウチ１が、事前に設定された引裂き線１２に沿って裂ける。長円形の孔１１の長手方向端部に配置されたスリット１１０が、パウチ１の裂けの開始を容易にすることを可能にする。図１で見ることができるように、ポケット１０内に含まれている製品、たとえば、シンフィルムストリップＦＳが、パウチが裂けるときに損傷されることを防止するために、追加の接続領域１４が、事前に設定された引裂き線１２に沿って設けられてもよい。というのは、接続領域により、製品、たとえばシンフィルムストリップＦＳが、事前に設定された引裂線１２から離れた距離でポケット１０内に配置されることが確実になるからである。
【００４２】
図４は、箱２が、以下でより詳細に説明されるように、パウチ１のスタックのための格納容器の外箱として働く、本発明による箱２の第１の実施形態を示している。箱２は、底部２１（図５参照）、２つの側壁２２および２３、端部壁２４（一般に不可欠なものではないが、説明された実施形態では存在している）、蓋２５およびクロージャ２６を備える。クロージャ２６が開いているとき（図７参照）、開端部２７が画定され、それを通って、使用者が、パウチ１ａ（波形形状のパウチが「１ａ」と称されるが、これらは、矩形形状のパウチ１と極めて類似している）が配置されている、箱の内部空間へのアクセスを得ることができる。
【００４３】
図４に戻ると、箱２は、ロックされた状態にある。箱２をロックされた状態に保持するために、相互係合の手段が、クロージャ２６に、および側壁２２、２３内に同様に設けられている。これらの相互係合手段は、クロージャ２６に弾力的に取り付けられた２つのカム２６０、ならびに側壁２２および２３内の２つの孔２２０および２３０を備える。クロージャ２６は、箱と一体に形成され、かつ一体蝶番２８によって箱２の開端部２７で、底部２１の縁部に取り付けられている。尖った縁部２００を有する直立した支柱２０が、底部２１から延びている。端部壁２４の所で、蓋２５が、さらなる一体蝶番２９を用いて取り付けられている。
【００４４】
外箱２、ならびに１つまたは複数の、好ましくは個々のパウチ１ａのスタックを含む格納容器３を形成するように外箱２を「装填する」ために、外箱２が、図５にこれが示されているように、完全に開けられる。次に、パウチのスタック１ａが、図６にこれが示されているように、箱２の中に挿入される。装填を完了した後、箱２の底部２１上に設けられた直立した支柱２０が、パウチ１ａの長円形の孔１１を通って延びる。
【００４５】
いったん個々のパウチ１ａのスタックが挿入された後（図６参照）、蓋２５が、一体蝶番２９の周りに枢動されて、閉じられる。このことが図７に表されており、クロージャ２６はまだ開いている。蓋が、閉じられた状態で解放可能に保持されることを可能にするために、弾力性のカム２５１（図５および図６参照）が、蓋２５の所に設けられ、かつ対応する溝（図示せず）および２３１が、弾力性のカム２５１を収容するために側壁２２、２３内に設けられる。また、小さいペグ２５２が、直立した支柱２０の上部表面内に設けられたそれぞれの孔２０２内へ嵌合し、このようにして、蓋２５が閉鎖されるとき、蓋２５の箱の残りの部分に対する正確な位置決めを助け、さらにパウチ１ａが、直立した支柱２０上端部と蓋２５の間で確実に「逃げられない」ようにするために蓋２５から延びている。
【００４６】
図７に示されている位置では、パウチ１ａのスタックを含んでいる外箱２を備える格納容器３は、いつでも使用できる。図７で見ることができるように、パウチ１ａならびに外箱２の両方が、その開いた２７端部で、波形形状を有するが、しかし、パウチ１ａの波形は、外箱２の波形と反対である。このことは、直立した支柱２０が外箱２内に配置されている側で、パウチ１ａをその長手方向端部で露出させる働きをし、それにより個々のパウチ１ａをそれが露出された位置で把持することにより、単一の個々のパウチ１ａを外箱２から取り外すことが容易になる。一番上に位置されたパウチ１ａを把持し、かつそれを箱から引き出したときに、直立した支柱２０が、パウチ１ａを、事前に設定された引裂き線１２に沿って、すなわちパウチ１ａの長手方向延長部の方向に裂けさせる。パウチ１ａが、このようにして、その長手方向延長部の本質的な部分に沿って開放され、したがって、パウチ１ａのポケット内に含まれているフィルムストリップＦＳへの簡便なアクセスを可能にする（図１と同様）。また、パウチ１ａは、外箱２から完全に取り外され、パウチの残りが外箱２内に保持されない。
【００４７】
パウチ１ａを外箱２から取り外した後、外箱２が再び閉じられてもよい。このことは、クロージャ２６を、一体蝶番２８の周りに枢動させて、図４に示されている閉じられた位置へ戻すことによって行われる。外箱２が閉じられたロックされた状態にあるとき、弾力的に取り付けられたカム２６０が、孔２２０および２３０内へ折れ、このようにしてクロージャ２６をその位置に保持し、かつパウチ１ａが配置されている箱２の内部空間への意図的でないアクセスを防止する。
【００４８】
本発明による箱の、および本発明による格納容器の第２の実施形態が、図８〜１１を参照にしてここで説明される。使用される符号は、第１の実施形態のものとほぼ同様であるが、各符号が格納容器または箱の第２の実施形態に属することを識別するために、「ａ」という文字が追加される。したがって、図８および図９は、底部２１ａ、２つの側壁２２ａおよび２３ａ、端部壁２４ａ、蓋２５ａおよびクロージャ２６ａを備える外箱２ａを示している。図９から見ることができるように、クロージャ２６ａは、小さい軸２８ａおよびクロージャ２６ａと一体に形成されたそれぞれのスリーブ２６１ａを用いて箱２ａの残りの部分に枢動自在に取り付けられる、別個に製造された部片である。
【００４９】
図８に戻ると、箱２ａは、ロックされた状態にある。箱２ａをロックされた状態に保持するために、２つのカム２６０ａが、クロージャ２６ａに弾力的に取り付けられている。２つの孔２５０ａおよび２１０ａが、それぞれ、蓋２５ａおよび底部２１ａ内に設けられている（カムおよび孔がそれぞれ、横方向に配置されたスナップ嵌め相互係合を形成するように取り付けられている、第１の実施形態とは違う）。尖った縁部２００ａを有する直立した支柱２０ａが、底部２１ａから延びている。端部壁２４ａの所で、蓋２５ａが、さらなる一体蝶番２９ａ（図９参照）を用いて取り付けられている。
【００５０】
１つまたは複数の、好ましくはパウチ１ａのスタックを含む外箱２ａを備える格納容器３ａを形成するように外箱２ａを「装填」するために、図９に示されているように、外箱２ａが完全に開けられる。リブ２２２ａおよび２３２ａが、それぞれ側壁２２ａおよび２３ａに設けられ、これらが、一方では箱２ａの追加の安定性を、他方では外箱２ａ内へのパウチ１ａの潤滑な中央への挿入を提供する。次に図１０に示されているように、パウチ１ａのスタックが箱２ａの中に挿入される。装填の後、箱２ａの底部２１ａ上に設けられた直立した支柱２０ａが、パウチ１ａの長円形の孔１１を通って延びる。
【００５１】
いったんパウチ１ａのスタックが挿入された後（図１０参照）、蓋２５ａが、一体蝶番２９ａの周りに枢動されて、閉じられる。このことが図１１に表されており、クロージャ２６はまだ開いている。蓋２５ａが、閉じられた状態で解放可能に保持されることを可能にするために、弾力性のカム２５１（図９および図１０参照）が、蓋２５ａの所に設けられ、かつ対応する溝２２１ａ（図示せず）および２３１ａが、カム２５１ａを収容するために側壁２２ａおよび２３ａ内に設けられる。また、小さいペグ２５２ａが、直立した支柱２０ａの上部表面内に設けられたそれぞれの孔２０２ａ内へ嵌合し、このようにして、蓋２５ａが閉鎖されるとき、蓋２５ａの箱の残りの部分に対する正確な位置決めを助け、さらにパウチ１ａが、直立した支柱２０ａ上端部と蓋２５ａの間で確実に「逃げられない」ようにするために、蓋２５ａから延びている。また、小さな終端スリーブ２５３ａが、クロージャ２６ａが「逃げる」可能性があることを回避するように、蓋２５ａを閉めるとき、軸２８ａの上端部を収容する蓋２５ａ一体に形成される。
【００５２】
図１１に示されている位置では、パウチ１ａのスタックを含んでいる外箱２ａを備える格納容器３が、いつでも使用できる。図１１で見ることができるように、パウチ１ａならびに外箱の両方が、その開端部で、波形形状を有するが、しかし、パウチ１ａの波形は、外箱２ａの波形と反対である。このことは、パウチ１ａをその長手方向端部で、かつ直立した支柱２０ａが外箱２ａ内に配置されているその側で、露出させる働きをし、それによりパウチ１ａをそれが露出された位置で把持することにより、パウチ１ａを外箱２ａから取り外すことが容易になる。容易に理解されるように、外箱２ａの波形形状が、パウチ１ａの波形形状の反対であることが必ずしも不可欠ではない。意図するものは、単に、直立した支柱２０ａが配置されるその側で、パウチ１ａを露出させることである。一番上に位置されたパウチ１ａを把持し、かつそれを箱２ａから引き出す際に、直立した支柱２０ａが、パウチ１ａを、事前に設定された引裂き線１２に沿って、すなわちパウチ１ａの長手方向延長部の方向に裂けさせる。パウチ１ａが、このようにしてその長手方向延長部の本質的な部分に沿って開放され、したがって、パウチ１ａに含まれているフィルムストリップＦＳへの簡便なアクセスを可能にする（図１参照）。また、パウチ１ａは、外箱２ａから完全に取り外され、パウチの残りが外箱２ａ内に保持されない。
【００５３】
パウチ１ａを外箱２ａから取り外した後、外箱２ａが再び閉じられ、再びロックされてもよい。このことは、クロージャ２６ａを、軸２８ａおよびスリーブ２６１ａによって形成された横方向に配置されたヒンジの周りに枢動させて、図８に示されているロックされた位置へ戻すことによって行われる。外箱２ａがロックされた状態にあるとき、弾力的に取り付けられたカム２６０ａが、孔２５０ａおよび２１０ａ内へスナップされ、このようにしてクロージャ２６ａをロックされた位置に保持し、かつパウチ１ａが配置されている箱２ａの内部空間への意図的でないアクセスを防止する。
【００５４】
本発明による箱の、および本発明による格納容器の第３の実施形態が、図１２〜１５を参照にしてここで説明される。使用される符号は、第１の実施形態のものとほぼ同様であるが、各符号が、それぞれ、格納容器または箱の第３の実施形態に属することを識別するために、「ｂ」という文字が追加される。したがって、図１２および図１３は、底部２１ｂ、２つの側壁２２ｂおよび２３ｂ、端部壁２４ｂ、蓋２５ｂおよびクロージャ２６ｂを備える外箱２ｂを示している。クロージャ２６ｂは、外箱２ｂと一体に形成され、一体蝶番（図示せず、しかし図５と同様）によって箱２ｂの残りにヒンジで取り付けられている。
【００５５】
図１２に戻ると、箱２ｂは、閉じられた状態にある。箱２ｂを閉じられた状態に保持するために、２つのカム２２０ｂおよび２３０ｂが、側壁２２ｂおよび２３ｂに弾力的に取り付けられ、かつ対応する孔２６０ｂが、クロージャ２６ｂに設けられる。尖った縁部２００ｂを有する直立した支柱２０ｂが、底部２１ｂから延びている。蓋２５ｂは、別個に製造される部品であり、弾力的に取り付けられたカム２５１ｂを用いて側壁２２ｂおよび２３ｂの中にそれぞれ設けられた対応する溝２２１ｂ（図示せず）および２３１ｂとの相互係合を通して、箱２ｂの残りに取り付けられ、およびそこから脱着される。
【００５６】
外箱２ｂならびに１つまたは複数の、好ましくはパウチ１のスタックを含む格納容器３ｂを形成するように外箱２ｂを「装填する」ために、外箱２ｂが、図１２にこれが示されているように、完全に開けられる。リブ２２２ｂ、２３２ｂが、それぞれ側壁２２ｂおよび２３ｂに設けられ、これらが、一方では箱２ｂの追加の安定性を、他方では外箱２ｂ内へのパウチ１の潤滑な中央への挿入を提供する。パウチ１のスタックが次に、図１４にこれが示されているように、箱２ｂの中に挿入される。装填の後、箱２ｂの底部２１ｂの上に設けられた直立した支柱２０ｂが、パウチ１の長円形の孔１１を通って延びる。
【００５７】
いったんパウチ１のスタックが挿入された後（図１４参照）、蓋２５ｂが、カム２５１ｂと、溝２２１ｂ（図示せず）および２３１ｂとのスナップ嵌合を用いて、箱の残りの部分に取り付けられる。このことが図１５に表されており、クロージャ２６ｂはまだ開いている。
【００５８】
図１５に示されている位置では、外箱２ｂを備える格納容器３ｂならびにパウチ１のスタックは、いつでも使用できる。図１５で見ることができるように、外箱２ｂが、その開端部で、波形形状を有するが、パウチ１の形状は、波形ではない。このことは、パウチ１ａをその長手方向端部で、かつ直立した支柱２０ｂが外箱２ｂ内に配置されているその側で、露出させる働きをし、それによりパウチ１をそれが露出された位置で把持することにより、パウチ１を外箱２ｂから取り外すことが容易になる。パウチ１の上部表面上の矢印１３は、外箱２ｂからパウチ１を引き出すことを、使用者に示している。一番上に位置されたパウチ１を把持し、かつ箱からそれを引き出す際に、直立した支柱２０ｂが、パウチ１を、事前に設定された引裂き線１２に沿って、すなわち、パウチ１の長手方向延長部の方向に裂けさせる。パウチ１が、このようにして、その長手方向延長部の本質的な部分に沿って開放され、したがって、パウチ１内に含まれているフィルムストリップＦＳ（図１参照）への簡便なアクセスを可能にする。また、パウチ１は、外箱２ｂから完全に取り外され、パウチの残りが外箱２ｂ内に保持されない。
【００５９】
パウチ１を外箱２ｂから取り外した後、外箱２ｂが再び閉じられてもよい。このことは、クロージャ２６ｂを、一体蝶番の周りに枢動させて、図１２に示されている閉じられた位置へ戻すことによって行われる。外箱２ｂがロックされた状態にあるとき、弾力的に取り付けられたカム２２０ｂおよび２３０ｂが、孔２６０ｂ内へスナップされ、このようにしてクロージャ２６ｂをその位置に保持し、かつパウチ１が配置されている箱２ｂの内部空間への意図的でないアクセスを防止する。
【００６０】
本発明による箱の、および本発明による封入容器の第４の実施形態が、図１６〜１９を参照にして以下で説明される。使用される符号は、第１の実施形態のものとほぼ同様であるが、しかし、「ｃ」という文字が、各符号が、それぞれ、格納容器または箱の第４の実施形態に属することを識別するために追加される。したがって、図１６および図１７は、底部２１ｃ、２つの側壁２２ｃおよび２３ｃ、端部壁２４ｃ、蓋２５ｃおよびクロージャ２６ｃを備える外箱２ｃを示している。クロージャ２６ｃは、外箱２ｃの残りの部分と一体に形成され、一体蝶番２８ｃによって箱２ｃの残りの部分にヒンジで取り付けられている。
【００６１】
図１６では、箱２ｃは、閉じられた状態で示されている。箱２ｃを閉じられた状態に保持するために、２つのカム２２０ｃおよび２３０ｃが、側壁２２ｃおよび２３ｃに弾力的に取り付けられ、かつ対応する孔２６０ｃが、クロージャ２６ｃに設けられる。さらに、クロージャ２６ｃは、ペグ２６３ｃ（図１８および１９参照）を有し、かつ蓋２５ｃは、通し孔２５６ｃを有する。閉じられた状態では、カム２２０ｃおよび２３０ｃが、対応する孔２６０ｃ内にスナップ嵌めされ、かつペグ２６３ｃが、通し孔２５６ｃ内へ延びる。箱２ｃを開けるためにクロージャ２６ｃを解放するために、クロージャ２６ｃは、２つのリリースボタン２６２ｃを有する。前記リリースボタン２６２ｃを押し、かつ蓋２５ｃを箱２ｃの内部空間に向かう方向にさらに押すことにより、カム２２０ｃおよび２３０ｃならびにペグ２６３ｃが、それぞれ、対応する孔２６０ｃまたは通し孔２５６ｃから出るように移動され、それによって、クロージャ２６ｃが非ロック状態になり、開けられる準備がされる。
【００６２】
箱２ｃの使用者によって蓋２５ｃを押すことを簡単にするために、蓋２５ｃは、ペグ２６３ｃを通し孔２５６ｃから取り外すために加えられる圧力が最小にされることができるように、通し孔２５６ｃの近くに配置されている指受け２５４ｃを有する。さらに、クロージャの縁部と隣接して配置されている蓋２５５ｃの縁部は、箱が閉じられた状態にあるとき、クロージャ２６ｃの縁部の上に突き出すように、クロージャ２６ｃの縁部よりも厚い。蓋２５５ｃの縁部のこの配置は、蓋が複数回押された後でさえも、２つの縁部の間に隙間が形成されないことを確実にする。
【００６３】
クロージャ２６ｃをロックするための説明された手段は、箱２ｃの安全な閉鎖を可能にし、かつ箱２ｃの内部空間への意図的でないアクセスを防止する。特に、箱２ｃは、箱２ｃのいかなる内容物も、大人の補助なしでは子供によってアクセスされることができないような、小児安全クロージャ２６ｃを提供する。
【００６４】
図１７に戻ると、尖った縁部を有する直立した支柱２０ｃが底部２１ｃから延びている。蓋２５ｃは、別個に製造された部品であり、弾力的に取り付けられた円錐状のピン２５８ｃを用いて箱２ｃの残りの部分に取り付けられる、およびそこから脱着される。ピン２５８ｃは、箱２ｃの残りの部分の側壁２２ｃおよび２３ｃに配置されている対応するピン受け２２３ｃおよび２３３ｃによって受けられるように意図されている。
【００６５】
外箱２ｃならびに１つまたは複数のパウチ１、好ましくはパウチ１のスタックを含む格納容器３ｃを形成するように外箱２ｃを「装填する」ために、箱２ｃが、図１７および１９にこれが示されているように、完全に開けられ、蓋２５ｃが取り外される。側壁２２ｃおよび２３ｃに、または端部壁２４ｃに配置されているピン２２３ｃおよび２３３ｃならびにリブ２４２ｃがそれぞれ、一方では箱２ｃの追加の安定性を、他方では、箱２ｃ内へのパウチ１の潤滑な中央への挿入を提供する。次に、図１９に示されているように、パウチ１のスタックが箱２ｃの中に挿入される。装填の後、箱２ｃの底部２１ｃの上に設けられた直立した支柱２０ｃが、パウチ１の長円形の孔１１を通って延びる。
【００６６】
いったんパウチ１のスタックが挿入された後（図１９参照）、蓋２５ｃが、対応するピン受け２２３ｃおよび２３３ｃ内のピン２５８ｃを用いて、箱の残りの部分に取り付けられる。このことが、図１８に表されており、クロージャ２６ｃはまだ開いている。
【００６７】
図１８に示されている位置では、外箱２ｃならびにパウチ１のスタックを備える格納容器３ｃが、いつでも使用できる。図１８で見ることができるように、外箱２ｃは、その開端部で、波形形状を有するが、パウチ１の形状は、波形ではない。このことは、パウチ１をその長手方向端部で、かつ直立した支柱２０ｃが外箱２ｃ内に配置されているその側で、露出させる働きをし、それにより個々のパウチ１をそれが露出された位置で把持することにより、パウチ１を外箱２ｃから取り外すことが容易になる。パウチ１の上部表面上の矢印１３は、外箱２ｃからパウチ１を引き出すことを、使用者に示している（矢印は、最終設計では保持されない、これをそこに保持することは論点ではないのではないか？）。一番上に位置するパウチ１を把持し、かつ箱２ｃからそれを引き出す際に、直立した支柱２０ｃが、パウチ１を、事前に設定された引裂き線１２に沿って、すなわち、パウチ１の長手方向延長部の方向に裂けさせる（上記の矢印と同様に、この引裂き線は、最終設計で保持されなくてもよい）。パウチ１が、このようにして、その長手方向延長部の本質的な部分に沿って開放され、したがって、パウチ１に含まれているフィルムストリップＦＳ（図１参照）への簡便なアクセスを可能にする。また、パウチ１は、外箱２ｃから完全に取り外され、パウチの残りが箱２ｃ内に保持されない。
【００６８】
パウチ１を箱２ｃから取り外した後、箱２ｃが再び閉じられてもよい。このことは、クロージャ２６ｃを、一体蝶番２８ｃの周りに枢動させて、図１６に示されている閉じられた位置へ戻すことによって行われる。外箱２ｃがロックされた状態にあるとき、弾力的に取り付けられたカム２２０ｃおよび２３０ｃが、孔２６０ｃ内へスナップされ、ペグ２６３が通し孔２５６ｃ内へ延び、このようにしてクロージャ２６ｂをその位置に保持する。
【００６９】
様々な実施形態が、図面を参照して上記で説明されてきたが、添付の特許請求の範囲によって定義された本発明の精神および範囲を逸脱することなく、多くの変更および修正が行われることができることを理解されたい。
【００７０】
さらに、好ましいロッキング機構を備える上記で説明された箱が、パウチを備えること以外の目的のために同様に使用されることができることを理解されたい。これは、上記で説明されていない様々な実施形態で、特に、支柱のない実施形態、たとえばブリスターパッケージまたはチューインガムを装填される実施形態で構成されることができる。
【図面の簡単な説明】
【００７１】
【図１】本発明によるパウチの実施形態を示す図である。
【図２】図１に示されているパウチの長円形の孔の拡大図である。
【図３】外箱内に配置された図１によるパウチを示す図である。
【図４】閉じた状態での本発明による箱の第１の実施形態を示す図である。
【図５】完全に開いた状態での図４による箱を示す図である。
【図６】完全に開いた状態での本発明による格納容器の第１の実施形態を示す図であり、格納容器が、外箱および外箱内に配置されたパウチのスタックとしての図４の箱を備える図である。
【図７】クロージャのみが開いている状態での、パウチを容れる図６の格納容器を示す図である。
【図８】閉じた状態での本発明による箱の第２の実施形態を示す図である。
【図９】別個のクロージャが取り外されている、完全に開いた状態での図８による箱を示す図である。
【図１０】完全に開いた状態での本発明による格納容器の第２の実施形態を示す図であり、格納容器が、外箱および外箱内に配置されたパウチのスタックとしての図８の箱を備える図である。
【図１１】クロージャのみが開いている状態での、パウチを容れる図１０の格納容器を示す図である。
【図１２】本発明による箱の第３の実施形態を示す図である。
【図１３】別個の蓋が取り外されている、完全に開いた状態での図１２による箱を示す図である。
【図１４】外箱および外箱内に配置されたパウチのスタックとして図１２による箱を備える本発明による格納容器の第３の実施形態を示す図である。
【図１５】クロージャのみが開いている状態での、パウチを容れる図１４の格納容器を示す図である。
【図１６】本発明による箱の第４の実施形態を示す図である。
【図１７】別個の蓋が取り外されている、完全に開いた状態での図１６による箱を示す図である。
【図１８】外箱および外箱内に配置されたパウチのスタックとしての、図１６による箱を備える本発明による格納容器の第４の実施形態を示す図である。
【図１９】クロージャが開いており、かつ蓋が取り外された状態での、パウチを容れる図１８の格納容器を示す図である。
【図１】
2008543682.tif 000003
【図２】
2008543682.tif 000004
【図３】
2008543682.tif 000005
【図４】
2008543682.tif 000006
【図５】
2008543682.tif 000007
【図６】
2008543682.tif 000008
【図７】
2008543682.tif 000009
【図８】
2008543682.tif 000010
【図９】
2008543682.tif 000011
【図１０】
2008543682.tif 000012
【図１１】
2008543682.tif 000013
【図１２】
2008543682.tif 000014
【図１３】
2008543682.tif 000015
【図１４】
2008543682.tif 000016
【図１５】
2008543682.tif 000017
【図１６】
2008543682.tif 000018
【図１７】
2008543682.tif 000019
【図１８】
2008543682.tif 000020
【図１９】
2008543682.tif 000021
【国際調査報告】
2008543682.tif 000022
2008543682.tif 000023
2008543682.tif 000024
2008543682.tif 000025
2008543682.tif 000026